(57)【要約】【課題】漆喰の材料を古い壁紙等の上に薄く塗布することで、壁をリフォームする壁面リフォーム方法と壁とを提供する。【解決手段】帆立貝の貝殻の微粉末に微量放射線を発する鉱石の粉末を混入させてなる漆喰１２を、壁面に貼着されている壁紙１４上に、厚さ０．２〜１ｍｍで塗布することにより、壁紙１４を貼った壁のリフォームをする。あるいは、同じ漆喰を、基壁１６の表面に、厚さ０．２〜１ｍｍで塗布することにより壁を形成する。漆喰は不透明だから、下地の汚れを完全に隠すことができる。既に貼ってある汚れた壁紙を剥がして捨てる必要がないので、リフォームに伴う廃棄物が出ない。漆喰は壁面に塗布しただけで、密着性が非常によく、簡単には剥がれない。【選択図】図１
2006291471.tif 000002
【特許請求の範囲】
【請求項１】
帆立貝の貝殻の微粉末に、微量放射線を発する鉱石の粉末を混入させてなる漆喰を、壁面に貼着されている壁紙上に厚さ０．２〜１ｍｍで塗布することにより、壁紙を貼った壁のリフォームをすることを特徴とする壁面リフォーム方法。
【請求項２】
請求項１に記載の壁面リフォーム方法において、
前記壁紙は、凹凸模様を有するものであることを特徴とする壁面リフォーム方法。
【請求項３】
帆立貝の貝殻の微粉末に、微量放射線を発する鉱石の粉末を混入させてなる漆喰を、凹凸模様を有する建材の表面上に厚さ０．２〜１ｍｍで塗布することにより、前記建材の表面処理をすることを特徴とする壁面処理方法。
【請求項４】
帆立貝の貝殻の微粉末に、微量放射線を発する鉱石の粉末を混入させてなる漆喰を、基壁面に厚さ０．２〜１ｍｍで塗布することにより形成したことを特徴とする壁。
【請求項５】
帆立貝の貝殻の微粉末に、微量放射線を発する鉱石の粉末を混入させてなる漆喰を、建材の表面に厚さ０．２〜１ｍｍで塗布することにより形成したことを特徴とする壁。
【請求項６】
請求項４又は５に記載の壁において、
前記漆喰に弁柄を混入し着色したことを特徴とする壁。
【発明の詳細な説明】
【技術分野】
【０００１】
本発明は、漆喰を用いた壁面リフォーム方法と壁面処理方法と壁に関する。
【背景技術】
【０００２】
消石灰または牡蠣などの貝灰に、ふのりや角又などを練り合わせてなる漆喰は、吸湿性がある上に天然素材であることから、健康的な住宅の壁や天井の塗装材として古くから多用されている（例えば、特許文献１参照）。漆喰は、壁の下地処理をしてから、適量をコテに乗せて、一定の厚さに塗り固めて工事する。厚さは３ｍｍ〜１０ｍｍというように、施工場所により異なる。
【特許文献１】特開平９−２３５８５２号公報
【発明の開示】
【発明が解決しようとする課題】
【０００３】
ところで、上記の技術には、次のような解決すべき課題があった。
３ｍｍ〜１０ｍｍの厚みを均一にコントロールするのと、表面をむらなく平坦に処理するには、相応の熟練を要する。また、特に、リフォーム処理では、既存の壁に貼られた壁紙を剥がしてから、新たな壁の工事をするので、非常に工数がかかり、壁紙と比べると、全体としてコストが著しく高くなるという問題があった。
本発明は、以上の点に着目してなされたもので、漆喰の材料を古い壁紙等の上に薄く塗布することで、壁をリフォームする壁面リフォーム方法と壁面処理方法と壁を提供することを目的とする。
【課題を解決するための手段】
【０００４】
本発明の実施例においては、次のような構成により上記の課題を解決する。
〈構成１〉
帆立貝の貝殻の微粉末に、微量放射線を発する鉱石の粉末を混入させてなる漆喰を、壁面に貼着されている壁紙上に厚さ０．２〜１ｍｍで塗布することにより、壁紙を貼った壁のリフォームをすることを特徴とする壁面リフォーム方法。
【０００５】
漆喰は不透明だから、壁紙表面の汚れを完全に隠すことができる。既に貼ってある汚れた壁紙を剥がして捨てる必要がないので、リフォームに伴う廃棄物が出ない。漆喰は壁面に塗布しただけで、密着性が非常によく、簡単には剥がれない。
【０００６】
〈構成２〉
構成１に記載の壁面リフォーム方法において、上記壁紙は、凹凸模様を有するものであることを特徴とする壁面リフォーム方法。
【０００７】
壁紙の凹凸模様がそのまま漆喰壁の模様になるので、新たな凹凸模様を創出する必要がなく、しかも仕上がりが非常に綺麗になる。
【０００８】
〈構成３〉
帆立貝の貝殻の微粉末に、微量放射線を発する鉱石の粉末を混入させてなる漆喰を、凹凸模様を有する建材の表面上に厚さ０．２〜１ｍｍで塗布することにより、上記建材の表面処理をすることを特徴とする壁面処理方法。
【０００９】
本発明の方法では、凹凸模様を有する各種建材の表面に対して表面処理をすることにより、例えば、石膏ボードや合板等の塗装に代わる装飾効果等をもたらすことができる。なお、この構成における「壁」は、天井、壁、床、造り付け家具の外表面等の各種の建材の表面を総称する概念で使用している。
【００１０】
〈構成４〉
帆立貝の貝殻の微粉末に、微量放射線を発する鉱石の粉末を混入させてなる漆喰を、基壁面に厚さ０．２〜１ｍｍで塗布することにより形成したことを特徴とする壁。
【００１１】
漆喰であるから、従来の漆喰壁に近い特性の壁に変えることができる。
すなわち、吸湿性があり、環境に優しい。厚みが厚いと、塗りむらが生じたり剥がれ易くなる。従って、十分に薄いことが好ましい。さらに、十分に薄くできるので、従来の漆喰壁に比べて、そのコストが数分の１になる。
【００１２】
〈構成５〉
帆立貝の貝殻の微粉末に、微量放射線を発する鉱石の粉末を混入させてなる漆喰を、建材の表面に厚さ０．２〜１ｍｍで塗布することにより形成したことを特徴とする壁。
【００１３】
建材の壁面に木目等の凹凸模様があれば、そのまま漆喰壁の模様になる。従って、簡単な現場工事で、複雑な凹凸模様の施工が可能になる。
【００１４】
〈構成６〉
構成４又は５に記載の壁において、上記漆喰に弁柄を混入し着色したことを特徴とする壁。
【００１５】
弁柄が数色あり、これらを適宜加えることにより、好みの色の壁とすることができる。
【発明を実施するための最良の形態】
【００１６】
以下、本発明の実施の形態を実施例に基づいて説明する。
【実施例１】
【００１７】
図１は実施例１の壁面リフォーム方法の説明図である。
図において、本発明で使用される漆喰１２は、帆立貝の貝殻の微粉末、すなわち、帆立貝の貝殻を焼いて作った貝灰に、微量放射線を発する鉱石の粉末を混入させたもので、白く不透明であり、消臭、吸湿性がある。この漆喰１２を、壁の表面に貼着されている壁紙１４上に、厚さ０．２〜１ｍｍで塗布することにより、壁紙を貼った壁のリフォームをする。なお、図１の下側にはリフォーム前の状況を示し、図１の上側にはリフォーム後の状況を示している。
【００１８】
図１に示すように、リフォーム前の壁紙１４は全面的に黒く汚れていても、白く不透明な漆喰１２を塗布することにより、壁紙１４の汚れを完全に隠し、壁面が白く生まれ変わる。なお、漆喰１２に予め弁柄を混入し着色してもよい。
【００１９】
上記方法によれば、既に貼ってある汚れた壁紙を剥がして捨てる必要がないので、リフォームに伴う廃棄物が出ない。また、漆喰は壁面に塗布しただけで、密着性が非常によく、簡単には剥がれない。乾燥が速く工期が短い。漆喰１２に、微量放射線を発する鉱石の粉末を混入させものを使用することにより、微量な放射線を受けて人体が活性化される、いわゆる、ホルミシス効果を発揮する。すなわち、自然界に存在する放射線の１０〜２００倍、すなわち、１０〜２００ミリシーベルト程度の微量放射線は、人の健康を促進するホルミシス効果があるといわれている。ホルミシス効果とは、微量な放射線を受けて人体が活性化されることをいう。
【００２０】
壁紙１４が凹凸模様を有するものである場合は、壁紙の凹凸模様がそのまま漆喰壁の模様になる。従って、新たな凹凸模様を創出する必要がなく、しかも仕上がりが非常に綺麗である。
【００２１】
図２は本発明の壁を示す断面図である。
この壁は、基壁１６の表面に、上記漆喰１２を厚さ０．２〜１ｍｍで塗布することにより形成されたものである。漆喰１２に予め弁柄を混入し着色してもよい。弁柄が数色あり、これらを適宜加えることにより、好みの色の壁とすることができる。
【００２２】
また、基壁１６として、木板の壁を漆喰塗布の対象としてもよい。すなわち、木板の壁面に、上記漆喰１２を厚さ０．２〜１ｍｍで塗布することにより壁を形成してもよい。木板の壁面に木目等の凹凸模様があれば、そのまま漆喰壁の模様になる。
【００２３】
上記構成の壁は、次の利点がある。すなわち、ローラ等で塗布するだけでよく、塗りむらが生じにくい。また、工事が容易で熟練を要しない。短時間に大面積の工事ができる。乾燥が速く工期が短い。従来の漆喰壁に近い特性の壁に変えることができる。すなわち、吸湿性があり、環境に優しい。さらに、十分に薄くできるので、従来の漆喰壁に比べて、そのコストが数分の１になる。
【００２４】
なお、本発明における壁や壁面は、建造物の側壁や側壁面に限定されるものでなく、建造物の天井や床、あるいは、造り付けの家具等の外面も含むものである。また、本発明は汚れた壁や壁紙だけでなく、新築建造物の新しい壁や壁紙にも適用できる。
【実施例２】
【００２５】
図３は、本発明の方法の実施例説明図である。
例えば、図に示すように、建物の内装用の建材２１に対して本発明の方法を実施する。建材２１としては、建物の天井や床も含まれる。また、あるいは、図に示す巾木２２にも適用できる。図に示すようなトレイ２３に、既に説明したとおりの配合の漆喰２４を収容する。図に示すトレイ２３の中で材料の攪拌を行ってもよいし、別途専用のタンクなどで攪拌をして準備をしても構わない。トレイ２３に収容した漆喰２４を図に示すようなローラ２５を用いて建材の表面に塗布する。もちろん、刷け塗りを採用しても構わない。この漆喰２４に、上記のように弁殻等の適当な顔料を加えれば、例えば、ベージュ色とかクリーム色に内装を仕上げることができる。
【００２６】
建材２１に既に古い壁紙が貼られている場合は、壁紙の模様を生かしつつ、漆喰によるリフォームが可能になる。古い板壁や造り付けの家具にも採用できる。また、新築工事の場合においても、本発明を有効に利用できる。凹凸模様を施した壁材や天井板、あるいは石膏ボードの表面に、漆喰２４を塗布することにより、ニス塗り等の工事に代えることができる。下地の凹凸模様により、装飾効果の高い壁面が形成される。木材表面の自然の凹凸を生かした板壁上に塗布することもできる。しかも、ホルミシス効果による健康の増進と、微量放射線による殺菌効果と消臭効果により、図のようなトイレ等に最適な施工法として利用することができる。
【００２７】
上記の漆喰の配合について、さらに詳述する。主材料である石灰石の微粉末に対して、粒径が当該石灰石の微粉末の０．５倍以上５倍以内の、微量放射線を発する鉱石の粉末を混入させることが好ましい。漆喰層の主材料は石灰石である。これと鉱石の粉末を混合して、全体に平均に分散させるには、その粒径が重要な要素になる。この範囲の粒径を選定することにより、壁面全体から均一に微量放射線が放射される。
【００２８】
漆喰層が凹凸面を有していると、窪みの部分でイオン溜まりができて、効果的に消臭効果が発揮される。壁の全面に適切な深さの窪みができると、広範にイオン溜まりを形成し、消臭効果を発揮する。上記の漆喰は、石灰石の微粉末に対して、微量放射線を発する鉱石の粉末を混入してある。石灰石の微粉末の直径をＤ１とし、鉱石の粉末の直径をＤ２とする。この時、Ｄ２は、Ｄ１の０．５倍以上５倍以内に選定することが好ましい。石灰石の微粉末に、粒径のまちまちな鉱石の粉末を混入すると、両者の比重が大きく異なるために、攪拌をしても鉱石の粉末がうまく分散しない。従って、漆喰層を形成した場合に、鉱石の粉末が集中している部分とほとんど混入されていない部分が生じる。
【００２９】
これでは、要求される放射線量を均一に保つことができない。鉱石の粉末を石灰石の微粉末とほぼ同等か若干大きめに選定して、糊と共に攪拌すると、全体としてほぼ均一に鉱石の粉末を混入することができる。その結果、漆喰層の単位面積あたりにして、１０から２００ミリシーベルト程度の微量放射線を、漆喰層の壁面から部屋に向かって放射することに成功した。壁面から発せられる放射線量は、いずれも平均で１００ミリシーベルト程度となった。漆喰層本来の持つ多孔質表面も、上記の作用に有効に機能していることが分かった。
【００３０】
なお、この他に、平均粒形の大きな鉱石の粉末を混入させたものを施工したが、壁の各部で放射線量が数ミリシーベルトの部分と数百ミリシーベルトの部分とが生じ、均一なデータが得られなかった。さらに、上記の壁面を施工した部屋に、タバコの煙を充満させて、その後部屋を開け放し１２時間放置した。漆喰層のある部屋は、１２時間後にタバコの煙の匂いは完全に消表面が平坦な漆喰層の部屋は、タバコの煙の匂いが消失するのに数日かかった。以上のように本発明の漆喰層のホルミシス効果と抗菌効果、及び消臭効果が実証された。
【図面の簡単な説明】
【００３１】
【図１】壁紙の一部に本発明の漆喰を塗装した状態を示す正面図である。
【図２】基壁に本発明の漆喰を塗装した状態を示す断面図である。
【図３】本発明の方法の実施例説明図である。
【符号の説明】
【００３２】
１２  漆喰
１４  壁紙
１６  基壁
【図１】
2006291471.tif 000003
【図２】
2006291471.tif 000004
【図３】
2006291471.tif 000005